(57)【要約】      （修正有）【課題】飲料水類の容器の廃棄処理機において、廃棄容器の材質を判別し、材料により圧縮あるいは粉砕処理のいずれかを選別し実行する構造とすることで、廃棄容器の嵩を小さくする。さらに、廃棄処理機の筺体外面に商品広告を掲示できるようにすることで、該処理機の利用価値の向上を図った区別容器処理広告塔を提供する。【解決手段】投入口１から投入された廃棄容器は、選別機構によりペット容器、スチール缶及びアルミ缶に分別される。さらに、ＰＥＴ容器の場合は金属板を加工して細かい刃の端部に円形のＶプーリー１０を取付けてモーターの回転軸に歯車を取付けてＶプーリーを連結させることによって粉砕機能を構築させて粉砕処理を行わせ受取箱６に収納する。さらに、スチール缶やアルミ缶の場合は、機械本体内中央付近に設置されている圧縮部分に投入された缶が落下し、シリンダーとプレスの冶具を圧縮駆動用リンクで接続させて駆動モーターと減速機を組み合わせた動力を利用してシリンダーを上下させる事によってプレス用の冶具が横方向に動くので、圧縮部分にある缶を平らに潰して、それぞれの収納箱に収納する。また機械本体の側面全体を塗装やシートで広告用の装飾を施せる特徴を持たせて、区別容器処理広告塔を構成する。【選択図】図１
0003160303.tif 000002
【実用新案登録請求の範囲】
【請求項１】
飲料水類の空容器の廃棄処理で嵩を小さくする機能と種別機能を持ち合わせた廃棄処理機。
【請求項２】
機械本体を企業や商品並びに団体などの有償広告宣伝にする目的を持った廃棄処理機。
【考案の詳細な説明】
【技術分野】
【０００１】  本考案は飲料水類容器の処理機機能及び種別機能と、処理機本体事態にペイントやシールなどを用いた広告機能を併せ持ったものである。
【背景技術】
【０００２】  一般的に既存する街頭や商業施設の飲料水類の空容器の廃棄は回収ボックスに容器を入れるだけであり、環境面を考慮すると空の廃棄容器の嵩の低減にはなっていない。また通常の回収ボックスの場合、使用目的は空容器を回収する目的のみに使用されておりそれ自体の付加価値がない。
【考案の概要】
【考案が解決しようとする課題】
【０００３】  飲料水類の空の容器は嵩も大きく回収の際に不便であるが、本考案の処理機により、廃棄容器の嵩を小さく出来る。また通常の廃棄容器回収ボックスなどは空になった廃棄容器を投棄する為だけの使用目的がなく設置場所も必要であったが、本考案の処理機は本体自体を企業広告や商品広告としても使用させる事により設置価値を持たせることが出来る。
【課題を解決するための手段】
【０００４】  本考案は処理機本体上部から空の飲料水類容器を投入し、処理機機能により空の飲料水類容器の嵩を小さくする。  処理機本体を広告の場として使用するには企業、団体などの応募を承り、ペイントやシールを応募側の要求にあわせ装飾させる。広告宣伝として使用する際は宣伝広告費を本処理機購入者や設置者若しくはそれらに関わる第三者より合意のもと徴収する。
【考案の効果】
【０００５】  本考案によりリサイクル施設に行く前の段階で廃棄される空の飲料水類容器の嵩が小さくなり、環境及び省力化に対する効果が得られる。また処理機本体への装飾により応募してきた企業や団体などは商品や企業イメージの広告宣伝として利用出来るのでＰＲ効果も得られる。
【図面の簡単な説明】
【０００６】
【図１】  本考案の区別処理機広告塔機種１である。
【０００７】
【図２】  本考案の区別処理機広告塔機種２である。
【考案を実施するための形態】
【０００８】  本考案処理機購入の際、購入者または処理機設置者並びにこれに関わる第三者に対し企業広告や商品広告の希望があるか確認し、購入者または設置者若しくはこれに関わる第三者から応募があれば処理機本体を広告宣伝の場として有償提供する。広告の場として提供する際は、広告応募者から合意の上、広告宣伝費を徴収する。応募者はその対価として処理機本体を広告媒体として利用出来るようになる。
【符号の説明】
【０００９】  ［図１］
１    投入口
２    取出扉
３    運転表示灯
４    カバー
５    ベース
６    受取箱
７    制御盤
８    ＮＧ品排出ゲート
９    モーター
１０  Ｖプーリ
１１  検査シリンダー
１２  ＯＫ品投入口
１３  ＮＧ品排出シュート
［図２］
１    投入口
２    金属確認センサー
３    フタ開閉確認センサー
４    アルミ収納箱
５    鉄収納箱
６    圧縮部分
７    圧縮駆動用リンク
８    投入確認センサー
９    電源ＬＰ
１０  電動モーター
１１  マグネット駆動用モーター
１２  選別マグネット
１３  排出確認センサー
１４  減速機
【図１】
0003160303.tif 000003
【図２】
0003160303.tif 000004
【手続補正書】
【提出日】平成22年3月5日(2010.3.5)
【手続補正１】
【補正対象書類名】実用新案登録請求の範囲
【補正対象項目名】全文
【補正方法】変更
【補正の内容】
【実用新案登録請求の範囲】
【請求項１】
金属製の長方形の平板を組み合わせ、飲料水類の空容器を機械本体内部へ送り込む投入口を円柱形若しくは八角柱上面と八角錐台底面を合わせた形状の機械本体の上部に設けて、投入された空容器は容器の材質を識別する部位に転がり、ＰＥＴ容器の選別の場合は検査シリンダーがあり、検査シリンダーはエアーを動力源としてシリンダーのシャフト先端に樹脂を直方体に加工した冶具を取付けて容器側面を投入口底部と検査シリンダーに付けた冶具で挟んで下方向に潰した際の圧力を感知する機能を組み込んだ装置あり、此の装置によりＰＥＴ容器か其れ以外の容器かを判別させ、缶の場合は投入された空容器がセンサー端部から出される磁気によって金属製か非金属製かを検知する機能を持たせた金属確認センサーを投入口底部中央寄に設置して材質の判別を行い、選別されて粉砕若しくは圧縮処理前の空容器は機械本体内部にある空容器を機械本体内の処理する部位に落下させて送られ、ＰＥＴ容器の場合は金属板を加工して細かい刃の端部に円形のＶプーリーを取付けてモーターの回転軸に歯車を取付けてＶプーリーを連結させることによって粉砕機能を構築させて粉砕処理を行わせ、スチール缶やアルミ缶の場合は、機械本体内中央付近に設置されている圧縮部分に投入された缶が落下し、シリンダーとプレスの冶具を圧縮駆動用リンクで接続させて駆動モーターと減速機を組み合わせた動力を利用してシリンダーを上下させる事によってプレス用の冶具が横方向に動くので、圧縮部分にある缶を平らに潰す事を成し、この機能によって圧縮処理が行われ、空容器の粉砕又は圧縮後は、ＰＥＴの場合であれば粉砕されたＰＥＴ容器はそのまま機械本体下に設置される受取箱に落下して収納され、スチール缶及びアルミ缶の場合であれば、圧縮部分によってプレスされた缶が圧縮部分から金属製の円柱形をしたローラー表面に磁石が取付けられているスチール缶とアルミ缶を仕分ける為の選別マグネットの上に落下し、マグネット駆動用モーターを原動力として選別マグネットを回転させて、磁石に着いているスチール缶は鉄収納箱上部まで移動されて鉄収納箱に格納され、アルミ缶は選別マグネットに着かずにそのままアルミ収納箱に格納されて、更に機械本体の側面全体を塗装やシートで広告用の装飾を施せる特徴を持つ区別容器処理広告塔。
【手続補正２】
【補正対象書類名】明細書
【補正対象項目名】０００９
【補正方法】変更
【補正の内容】
【０００９】［図１］
１    投入口
２    取出扉
３    運転表示灯
４    カバー
５    ベース
６    受取箱
７    制御盤
８    ＮＧ品排出ゲート
９    モーター
１０  Ｖプーリ
１１  検査シリンダー
１２  ＯＫ品投入口
１３  ＮＧ品排出シュート
１４  フタ開閉確認センサー
１５  金属確認センサー
１６  投入確認センサー
１７  圧縮駆動用リンク
１８  圧縮部分
１９  選別マグネット
２０  アルミ収納箱
２１  電源ＬＰ
２２  駆動モーター
２３  マグネット駆動用モーター
２４  鉄収納箱
２５  排出確認センサー
２６  減速機
【手続補正３】
【補正対象書類名】図面
【補正対象項目名】全図
【補正方法】変更
【補正の内容】
【図１】
0003160303.tif 000005
【図２】
0003160303.tif 000006